(57)【特許請求の範囲】
【請求項１】
複数の遊技台に取り付けられた複数の充電装置と情報収集装置とを含む情報収集システムであって、
前記複数の充電装置のそれぞれは、
ユーザ端末から識別情報を非接触通信により取得する非接触通信部と、
前記識別情報を取得した前記ユーザ端末に対して、非接触での充電を行う非接触充電部と、
前記識別情報を保存する保存部と、
を備え、
前記情報収集装置は、
前記複数の充電装置から前記識別情報を取得する情報取得部と、
前記充電装置を識別する識別子と前記充電装置を取り付けた前記遊技台の位置に関連する情報とを対応付けて記憶する記憶部と、
前記記憶部を参照して、取得した前記識別情報と、前記識別情報の取得時刻と、前記識別情報の取得元としての前記充電装置の位置と、を紐付ける情報処理部と、
を備える情報収集システム。
【請求項２】
前記遊技台の位置に関連する情報は、前記遊技台を配置した店を識別する店番および前記遊技台を識別する台番を含む請求項１に記載の情報収集システム。
【請求項３】
複数の前記情報収集装置から前記情報処理部により紐付けられたデータを収集し、前記識別情報に対応する遊技履歴を蓄積するデータベースをさらに備える請求項１または２に記載の情報収集システム。
【請求項４】
前記充電装置の前記非接触通信部は、前記ユーザ端末に情報を書き込むことが可能である請求項１乃至３のいずれか１項に記載の情報収集システム。
【請求項５】
複数の遊技台に取り付けられた複数の充電装置と情報収集装置とを含む情報収集システムにおける情報収集方法であって、
前記複数の充電装置のそれぞれが、
ユーザ端末から識別情報を非接触通信により取得するステップと、
前記識別情報を取得した前記ユーザ端末に対して、非接触での充電を行うステップと、
前記識別情報を保存部に保存するステップと、
を含み、
前記情報収集装置が、
前記複数の充電装置から前記識別情報を取得するステップと、
前記充電装置を識別する識別子と前記充電装置を取り付けた前記遊技台の位置に関連する情報とを対応付けて記憶する記憶部を参照して、取得した前記識別情報と、前記識別情報の取得時刻と、前記識別情報の取得元としての前記充電装置の位置と、を紐付けるステップと、
を含む情報収集方法。
【請求項６】
遊技台に取り付けられた充電装置であって
ユーザ端末から識別情報を非接触の通信により取得する非接触通信部と、
前記識別情報を取得した前記ユーザ端末に対して、非接触での充電を行う非接触充電部と、
前記識別情報を保存する保存部と、
前記識別情報を、前記充電装置を識別する識別子と対応付けて情報収集装置に送信する送信部と、
を備え、
前記充電装置は、所定領域内の複数の前記遊技台にそれぞれ配置されて前記情報収集装置とシリアル通信により接続される充電装置。
【請求項７】
前記送信部は、前記情報収集装置から前記識別情報を要求する通信フレームを受信し、該通信フレームへ応答する通信フレームによって前記識別情報を送信する請求項６の充電装置。
【請求項８】
遊技台に取り付けられた充電装置であって
ユーザ端末から識別情報を非接触の通信により取得する非接触通信部と、
前記識別情報を取得した前記ユーザ端末に対して、非接触での充電を行う非接触充電部と、
前記識別情報を保存する保存部と、
前記識別情報を、前記充電装置を識別する識別子と対応付けて情報収集装置に送信する送信部と、
を備え、
前記保存部は、さらに前記ユーザ端末への充電時間を含む充電履歴情報を保存し、前記送信部は前記充電履歴情報を前記情報収集装置に送信する充電装置。
【請求項９】
遊技台に取り付けられた充電装置であって
ユーザ端末から識別情報を非接触の通信により取得する非接触通信部と、
前記識別情報を取得した前記ユーザ端末に対して、非接触での充電を行う非接触充電部と、
前記識別情報を保存する保存部と、
前記識別情報を、前記充電装置を識別する識別子と対応付けて情報収集装置に送信する送信部と、
を備え、
前記非接触通信部は、前記ユーザ端末に情報を書き込むことが可能である充電装置。
【請求項１０】
遊技台に取り付けられた充電装置の制御プログラムであって
ユーザ端末から識別情報を非接触の通信により取得するステップと、
前記識別情報を取得した前記ユーザ端末に対して、非接触での充電を行うステップと、
前記識別情報を保存部に保存するステップと、
前記識別情報を、前記充電装置を識別する識別子と対応付けて情報収集装置に送信するステップと、
をコンピュータに実行させ、
前記充電装置は、所定領域内の複数の前記遊技台にそれぞれ配置されて、前記送信するステップにおいては、前記情報収集装置とシリアル通信により送信するようコンピュータに実行させる充電装置の制御プログラム。
【請求項１１】
遊技台に取り付けられた充電装置の制御プログラムであって
ユーザ端末から識別情報を非接触の通信により取得するステップと、
前記識別情報を取得した前記ユーザ端末に対して、非接触での充電を行うステップと、
前記識別情報を保存部に保存するステップと、
前記識別情報を、前記充電装置を識別する識別子と対応付けて情報収集装置に送信するステップと、
をコンピュータに実行させ、
前記保存するステップにおいては、さらに前記ユーザ端末への充電時間を含む充電履歴情報を保存し、前記送信するステップにおいては前記充電履歴情報を前記情報収集装置に送信するようコンピュータに実行させる充電装置の制御プログラム。
【請求項１２】
遊技台に取り付けられた充電装置の制御プログラムであって
ユーザ端末から識別情報を非接触の通信により取得するステップと、
前記識別情報を取得した前記ユーザ端末に対して、非接触での充電を行うステップと、
前記識別情報を保存部に保存するステップと、
前記識別情報を、前記充電装置を識別する識別子と対応付けて情報収集装置に送信するステップと、
前記ユーザ端末に非接触の通信により情報を書き込むステップと、
をコンピュータに実行させる充電装置の制御プログラム。
【請求項１３】
複数の遊技台に取り付けられてユーザ端末に非接触充電を行う複数の充電装置から、前記複数の充電装置が非接触通信によって前記ユーザ端末から得た識別情報を取得する情報取得部と、
前記充電装置を識別する識別子と前記充電装置を取り付けた前記遊技台の位置に関連する情報とを対応付けて記憶する記憶部と、
前記記憶部を参照して、取得した前記識別情報と、前記識別情報の取得時刻と、前記識別情報の取得元としての前記充電装置の位置と、を紐付ける情報処理部と、
を備える情報収集装置。
【請求項１４】
前記遊技台の位置に関連する情報は、前記遊技台を配置した店を識別する店番および前記遊技台を識別する台番を含む請求項１３に記載の情報収集装置。
【請求項１５】
複数の遊技台に取り付けられてユーザ端末に非接触充電を行う複数の充電装置から、前記複数の充電装置が非接触通信によって前記ユーザ端末から得た識別情報を取得する情報取得部と、
取得した前記識別情報と、前記識別情報の取得時刻と、前記識別情報の取得元としての前記充電装置の位置と、を紐付ける情報処理部と、
を備え、
前記情報取得部は、所定領域内の前記複数の遊技台にそれぞれ配置された前記複数の充電装置からシリアル通信により前記識別情報を取得する情報収集装置。
【請求項１６】
前記情報取得部は、前記複数の充電装置に対して前記識別情報を要求する通信フレームを送信し、該通信フレームへ応答する通信フレームから前記識別情報を取得する請求項１５に記載の情報収集装置。
【請求項１７】
前記情報取得部は、前記複数の充電装置からの送信フレームの受信に応じて、前記識別情報を取得する請求項１５に記載の情報収集装置。
【請求項１８】
複数の遊技台に取り付けられてユーザ端末に非接触充電を行う複数の充電装置から、前記複数の充電装置が非接触通信によって前記ユーザ端末から得た識別情報を取得する情報取得部と、
取得した前記識別情報と、前記識別情報の取得時刻と、前記識別情報の取得元としての前記充電装置の位置と、を紐付ける情報処理部と、
を備え、
前記情報取得部は、さらに、前記充電装置に保存された、前記ユーザ端末への充電時間を含む充電履歴情報を取得する情報収集装置。
【請求項１９】
複数の遊技台に取り付けられてユーザ端末に非接触充電を行う複数の充電装置から、前記複数の充電装置が非接触通信によって前記ユーザ端末から得た識別情報を取得するステップと、
前記充電装置を識別する識別子と前記充電装置を取り付けた前記遊技台の位置に関連する情報とを対応付けて記憶する記憶部を参照して、取得した前記識別情報と、前記識別情報の取得時刻と、前記識別情報の取得元としての前記充電装置の位置と、を紐付けるステップと、
をコンピュータに実行させる情報収集装置の制御プログラム。
【請求項２０】
複数の遊技台に取り付けられてユーザ端末に非接触充電を行う複数の充電装置から、前記複数の充電装置が非接触通信によって前記ユーザ端末から得た識別情報を取得するステップと、
取得した前記識別情報と、前記識別情報の取得時刻と、前記識別情報の取得元としての前記充電装置の位置と、を紐付けるステップと、
をコンピュータに実行させ、
前記取得するステップにおいては、所定領域内の前記複数の遊技台にそれぞれ配置された前記複数の充電装置からシリアル通信により前記識別情報を取得するようコンピュータに実行させる情報収集装置の制御プログラム。
【請求項２１】
複数の遊技台に取り付けられてユーザ端末に非接触充電を行う複数の充電装置から、前記複数の充電装置が非接触通信によって前記ユーザ端末から得た識別情報を取得するステップと、
取得した前記識別情報と、前記識別情報の取得時刻と、前記識別情報の取得元としての前記充電装置の位置と、を紐付けるステップと、
をコンピュータに実行させ、
前記取得するステップにおいては、さらに、前記充電装置に保存された、前記ユーザ端末への充電時間を含む充電履歴情報を取得するようコンピュータに実行させる情報収集装置の制御プログラム。
【請求項２２】
複数の遊技台に取り付けられてユーザ端末に非接触充電を行う複数の充電装置が前記ユーザ端末から非接触通信によって取得した識別情報と、前記識別情報の取得時刻と、前記識別情報の取得元としての前記充電装置の位置とが、前記充電装置を識別する識別子と前記充電装置を取り付けた前記遊技台の位置に関連する情報とを対応付けて記憶する記憶部を参照して、複数の情報収集装置の各情報収集装置において紐付けられたデータを、前記各情報収集装置から受信する情報受信部と、
前記複数の情報収集装置から受信したデータを前記識別情報でソーティングして、前記識別情報に対応する遊技履歴を蓄積するデータベースと、
を備える情報処理装置。
【請求項２３】
複数の遊技台に取り付けられてユーザ端末に非接触充電を行う複数の充電装置が前記ユーザ端末から非接触通信によって取得した識別情報と、前記識別情報の取得時刻と、前記識別情報の取得元としての前記充電装置の位置とが、前記充電装置を識別する識別子と前記充電装置を取り付けた前記遊技台の位置に関連する情報とを対応付けて記憶する記憶部を参照して、複数の情報収集装置の各情報収集装置において紐付けられたデータを、前記各情報収集装置から受信するステップと、
前記複数の情報収集装置から受信したデータを前記識別情報でソーティングして、前記識別情報に対応する遊技履歴をデータベースに蓄積するステップと、
をコンピュータに実行させる情報処理装置の制御プログラム。
【発明の詳細な説明】
【技術分野】
【０００１】
本発明は、ユーザの位置に関連する情報をユーザが携帯するユーザ端末に基づいて収集する技術に関する。
【背景技術】
【０００２】
上記技術分野において、特許文献１には、非接触充電器において、非接触通信を行い、ユーザ端末から演出音声を出力する技術が開示されている。
【先行技術文献】
【特許文献】
【０００３】
【特許文献１】特開２０１５−００２８６６号公報
【発明の概要】
【発明が解決しようとする課題】
【０００４】
しかしながら、上記文献に記載の技術では、ユーザ端末を識別することは行っておらず、顧客動線分析などに結びつくものではなかった。
【０００５】
本発明の目的は、上述の課題を解決する技術を提供することにある。
【課題を解決するための手段】
【０００６】
上記目的を達成するため、本発明に係る情報収集システムは、
複数の遊技台に取り付けられた複数の充電装置と情報収集装置とを含む情報収集システムであって、
前記複数の充電装置のそれぞれは、
ユーザ端末から識別情報を非接触通信により取得する非接触通信部と、
前記識別情報を取得した前記ユーザ端末に対して、非接触での充電を行う非接触充電部と、
前記識別情報を保存する保存部と、
を備え、
前記情報収集装置は、
前記複数の充電装置から前記識別情報を取得する情報取得部と、
前記充電装置を識別する識別子と前記充電装置を取り付けた前記遊技台の位置に関連する情報とを対応付けて記憶する記憶部と、
前記記憶部を参照して、取得した前記識別情報と、前記識別情報の取得時刻と、前記識別情報の取得元としての前記充電装置の位置と、を紐付ける情報処理部と、
を備える。
【０００７】
上記目的を達成するため、本発明に係る情報収集方法は、
複数の遊技台に取り付けられた複数の充電装置と情報収集装置とを含む情報収集システムにおける情報収集方法であって、
前記複数の充電装置のそれぞれが、
ユーザ端末から識別情報を非接触通信により取得するステップと、
前記識別情報を取得した前記ユーザ端末に対して、非接触での充電を行うステップと、
前記識別情報を保存部に保存するステップと、
を含み、
前記情報収集装置が、
前記複数の充電装置から前記識別情報を取得するステップと、
前記充電装置を識別する識別子と前記充電装置を取り付けた前記遊技台の位置に関連する情報とを対応付けて記憶する記憶部を参照して、取得した前記識別情報と、前記識別情報の取得時刻と、前記識別情報の取得元としての前記充電装置の位置と、を紐付けるステップと、
を含む。
【０００９】
上記目的を達成するため、本発明に係る充電装置は、
遊技台に取り付けられた充電装置であって
ユーザ端末から識別情報を非接触の通信により取得する非接触通信部と、
前記識別情報を取得した前記ユーザ端末に対して、非接触での充電を行う非接触充電部と、
前記識別情報を保存する保存部と、
前記識別情報を、前記充電装置を識別する識別子と対応付けて情報収集装置に送信する送信部と、
を備え、
前記充電装置は、所定領域内の複数の前記遊技台にそれぞれ配置されて前記情報収集装置とシリアル通信により接続される。
また、上記目的を達成するため、本発明に係る充電装置は、
遊技台に取り付けられた充電装置であって
ユーザ端末から識別情報を非接触の通信により取得する非接触通信部と、
前記識別情報を取得した前記ユーザ端末に対して、非接触での充電を行う非接触充電部と、
前記識別情報を保存する保存部と、
前記識別情報を、前記充電装置を識別する識別子と対応付けて情報収集装置に送信する送信部と、
を備え、
前記保存部は、さらに前記ユーザ端末への充電時間を含む充電履歴情報を保存し、前記送信部は前記充電履歴情報を前記情報収集装置に送信する。
また、上記目的を達成するため、本発明に係る充電装置は、
遊技台に取り付けられた充電装置であって
ユーザ端末から識別情報を非接触の通信により取得する非接触通信部と、
前記識別情報を取得した前記ユーザ端末に対して、非接触での充電を行う非接触充電部と、
前記識別情報を保存する保存部と、
前記識別情報を、前記充電装置を識別する識別子と対応付けて情報収集装置に送信する送信部と、
を備え、
前記非接触通信部は、前記ユーザ端末に情報を書き込むことが可能である。
【００１０】
上記目的を達成するため、本発明に係る充電装置の制御プログラムは、
遊技台に取り付けられた充電装置の制御プログラムであって
ユーザ端末から識別情報を非接触の通信により取得するステップと、
前記識別情報を取得した前記ユーザ端末に対して、非接触での充電を行うステップと、
前記識別情報を保存部に保存するステップと、
前記識別情報を、前記充電装置を識別する識別子と対応付けて情報収集装置に送信するステップと、
をコンピュータに実行させ、
前記充電装置は、所定領域内の複数の前記遊技台にそれぞれ配置されて、前記送信するステップにおいては、前記情報収集装置とシリアル通信により送信するようコンピュータに実行させる。
また、上記目的を達成するため、本発明に係る充電装置の制御プログラムは、
遊技台に取り付けられた充電装置の制御プログラムであって
ユーザ端末から識別情報を非接触の通信により取得するステップと、
前記識別情報を取得した前記ユーザ端末に対して、非接触での充電を行うステップと、
前記識別情報を保存部に保存するステップと、
前記識別情報を、前記充電装置を識別する識別子と対応付けて情報収集装置に送信するステップと、
をコンピュータに実行させ、
前記保存するステップにおいては、さらに前記ユーザ端末への充電時間を含む充電履歴情報を保存し、前記送信するステップにおいては前記充電履歴情報を前記情報収集装置に送信するようコンピュータに実行させる。
また、上記目的を達成するため、本発明に係る充電装置の制御プログラムは、
遊技台に取り付けられた充電装置の制御プログラムであって
ユーザ端末から識別情報を非接触の通信により取得するステップと、
前記識別情報を取得した前記ユーザ端末に対して、非接触での充電を行うステップと、
前記識別情報を保存部に保存するステップと、
前記識別情報を、前記充電装置を識別する識別子と対応付けて情報収集装置に送信するステップと、
前記ユーザ端末に非接触の通信により情報を書き込むステップと、
をコンピュータに実行させる。
【００１１】
上記目的を達成するため、本発明に係る情報収集装置は、
複数の遊技台に取り付けられてユーザ端末に非接触充電を行う複数の充電装置から、前記複数の充電装置が非接触通信によって前記ユーザ端末から得た識別情報を取得する情報取得部と、
前記充電装置を識別する識別子と前記充電装置を取り付けた前記遊技台の位置に関連する情報とを対応付けて記憶する記憶部と、
前記記憶部を参照して、取得した前記識別情報と、前記識別情報の取得時刻と、前記識別情報の取得元としての前記充電装置の位置と、を紐付ける情報処理部と、
を備える。
また、上記目的を達成するため、本発明に係る情報収集装置は、
複数の遊技台に取り付けられてユーザ端末に非接触充電を行う複数の充電装置から、前記複数の充電装置が非接触通信によって前記ユーザ端末から得た識別情報を取得する情報取得部と、
取得した前記識別情報と、前記識別情報の取得時刻と、前記識別情報の取得元としての前記充電装置の位置と、を紐付ける情報処理部と、
を備え、
前記情報取得部は、所定領域内の前記複数の遊技台にそれぞれ配置された前記複数の充電装置からシリアル通信により前記識別情報を取得する。
また、上記目的を達成するため、本発明に係る情報収集装置は、
複数の遊技台に取り付けられてユーザ端末に非接触充電を行う複数の充電装置から、前記複数の充電装置が非接触通信によって前記ユーザ端末から得た識別情報を取得する情報取得部と、
取得した前記識別情報と、前記識別情報の取得時刻と、前記識別情報の取得元としての前記充電装置の位置と、を紐付ける情報処理部と、
を備え、
前記情報取得部は、さらに、前記充電装置に保存された、前記ユーザ端末への充電時間を含む充電履歴情報を取得する。
【００１２】
上記目的を達成するため、本発明に係る情報収集装置の制御プログラムは、
複数の遊技台に取り付けられてユーザ端末に非接触充電を行う複数の充電装置から、前記複数の充電装置が非接触通信によって前記ユーザ端末から得た識別情報を取得するステップと、
前記充電装置を識別する識別子と前記充電装置を取り付けた前記遊技台の位置に関連する情報とを対応付けて記憶する記憶部を参照して、取得した前記識別情報と、前記識別情報の取得時刻と、前記識別情報の取得元としての前記充電装置の位置と、を紐付けるステップと、
をコンピュータに実行させる。
また、上記目的を達成するため、本発明に係る情報収集装置の制御プログラムは、
複数の遊技台に取り付けられてユーザ端末に非接触充電を行う複数の充電装置から、前記複数の充電装置が非接触通信によって前記ユーザ端末から得た識別情報を取得するステップと、
取得した前記識別情報と、前記識別情報の取得時刻と、前記識別情報の取得元としての前記充電装置の位置と、を紐付けるステップと、
をコンピュータに実行させ、
前記取得するステップにおいては、所定領域内の前記複数の遊技台にそれぞれ配置された前記複数の充電装置からシリアル通信により前記識別情報を取得するようコンピュータに実行させる。
また、上記目的を達成するため、本発明に係る情報収集装置の制御プログラムは、
複数の遊技台に取り付けられてユーザ端末に非接触充電を行う複数の充電装置から、前記複数の充電装置が非接触通信によって前記ユーザ端末から得た識別情報を取得するステップと、
取得した前記識別情報と、前記識別情報の取得時刻と、前記識別情報の取得元としての前記充電装置の位置と、を紐付けるステップと、
をコンピュータに実行させ、
前記取得するステップにおいては、さらに、前記充電装置に保存された、前記ユーザ端末への充電時間を含む充電履歴情報を取得するようコンピュータに実行させる。
【００１３】
上記目的を達成するため、本発明に係る情報処理装置は、
複数の遊技台に取り付けられてユーザ端末に非接触充電を行う複数の充電装置が前記ユーザ端末から非接触通信によって取得した識別情報と、前記識別情報の取得時刻と、前記識別情報の取得元としての前記充電装置の位置とが、前記充電装置を識別する識別子と前記充電装置を取り付けた前記遊技台の位置に関連する情報とを対応付けて記憶する記憶部を参照して、複数の情報収集装置の各情報収集装置において紐付けられたデータを、前記各情報収集装置から受信する情報受信部と、
前記複数の情報収集装置から受信したデータを前記識別情報でソーティングして、前記識別情報に対応する遊技履歴を蓄積するデータベースと、
を備える。
【００１４】
上記目的を達成するため、本発明に係る情報処理装置の制御プログラムは、
複数の遊技台に取り付けられてユーザ端末に非接触充電を行う複数の充電装置が前記ユーザ端末から非接触通信によって取得した識別情報と、前記識別情報の取得時刻と、前記識別情報の取得元としての前記充電装置の位置とが、前記充電装置を識別する識別子と前記充電装置を取り付けた前記遊技台の位置に関連する情報とを対応付けて記憶する記憶部を参照して、複数の情報収集装置の各情報収集装置において紐付けられたデータを、前記各情報収集装置から受信するステップと、
前記複数の情報収集装置から受信したデータを前記識別情報でソーティングして、前記識別情報に対応する遊技履歴をデータベースに蓄積するステップと、
をコンピュータに実行させる。
【発明の効果】
【００１５】
本発明によれば、ユーザがユーザ端末を充電場所に置くだけで、そのユーザの動線分析を可能にすることができる。
【図面の簡単な説明】
【００１６】
【図１】本発明の第１実施形態に係る情報収集システムの構成を示すブロック図である。
【図２Ａ】本発明の第２実施形態に係る情報収集システムの構成を示すブロック図である。
【図２Ｂ】本発明の第２実施形態に係る情報収集システムにおける遊技台に配置された充電装置を示す図である。
【図２Ｃ】本発明の第２実施形態に係る情報収集システムの構成要素の接続例を示す図である。
【図２Ｄ】本発明の第２実施形態に係る情報収集システムの各構成要素での収集データを示す図である。
【図３Ａ】本発明の第２実施形態に係る情報収集システムの動作手順を示すシーケンス図である。
【図３Ｂ】本発明の第２実施形態に係る情報収集システムの動作手順を示すシーケンス図である。
【図４】本発明の第２実施形態に係るユーザ端末の機能構成を示すブロック図である。
【図５】本発明の第２実施形態に係るユーザ端末の処理手順を示すフローチャートである。
【図６】本発明の第２実施形態に係る充電装置の機能構成を示すブロック図である。
【図７】本発明の第２実施形態に係る充電装置におけるデータ構成を示す図である。
【図８】本発明の第２実施形態に係る充電装置のハードウェア構成を示すブロック図である。
【図９】本発明の第２実施形態に係る充電装置の処理手順を示すフローチャートである。
【図１０】本発明の第２実施形態に係る情報収集装置としての終端装置の機能構成を示すブロック図である。
【図１１】本発明の第２実施形態に係る情報収集装置としての終端装置におけるデータ構成を示す図である。
【図１２】本発明の第２実施形態に係る情報収集装置としての終端装置のハードウェア構成を示すブロック図である。
【図１３】本発明の第２実施形態に係る情報収集装置としての終端装置の処理手順を示すフローチャートである。
【図１４】本発明の第２実施形態に係る光ネットワーク装置の機能構成を示すブロック図である。
【図１５】本発明の第２実施形態に係る光ネットワーク装置におけるデータ構成を示す図である。
【図１６】本発明の第２実施形態に係る光ネットワーク装置の処理手順を示すフローチャートである。
【図１７】本発明の第２実施形態に係る情報処理装置としてのクラウドサーバの機能構成を示すブロック図である。
【図１８】本発明の第２実施形態に係る履歴データベースにおけるデータ構成を示す図である。
【図１９】本発明の第２実施形態に係る情報処理装置としてのクラウドサーバの処理手順を示すフローチャートである。
【図２０】本発明の第３実施形態に係る情報収集システムの動作手順を示すシーケンス図である。
【図２１】本発明の第４実施形態に係る情報収集システムの動作手順を示すシーケンス図である。
【図２２】本発明の他の実施形態に係る情報収集システムにおける分析例を示す図である。
【発明を実施するための形態】
【００１７】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。なお、本明細書で使用される文言「識別情報」は、ユーザを識別可能な固有の情報であればよく、例えば、ユーザ識別子、ユーザ識別子に関連付けられた端末識別子、ユーザに配布された固有番号、ユーザが所有する証明書の番号、ユーザ氏名やハンドルネームなどの個人情報、を含む。
【００１８】
［第１実施形態］
本発明の第１実施形態としての情報収集システム１００について、図１を用いて説明する。情報収集システム１００は、ユーザの位置に関連する情報をユーザが携帯するユーザ端末に基づいて収集するシステムである。
【００１９】
図１に示すように、情報収集システム１００は、複数の遊技台に取り付けられた複数の充電装置１１１〜１１ｎと情報収集装置１２０とを含む。複数の充電装置１１１〜１１ｎのそれぞれは、ユーザ端末１３１〜１３ｍから識別情報を非接触通信により取得する非接触通信部１１３〜１ｎ３と、識別情報を取得したユーザ端末１３１〜１３ｍに対して、非接触での充電を行う非接触充電部１１２〜１ｎ２と、識別情報を保存する保存部１１４〜１ｎ４と、を備える。また、情報収集装置１２０は、複数の充電装置１１１〜１１ｎから識別情報を取得する情報取得部１２１と、取得した識別情報１２３と、識別情報の取得時刻１２４と、識別情報の取得元としての充電装置の位置１２５と、を紐付ける情報処理部１２２と、を備える。
【００２０】
本実施形態によれば、ユーザ端末から非接触通信により取得した識別情報を、非接触充電を行った充電装置の位置に紐付けるので、ユーザがユーザ端末を充電場所に置くだけで、そのユーザの動線分析を可能にすることができる。
【００２１】
［第２実施形態］
次に、本発明の第２実施形態に係る情報収集システムについて説明する。本実施形態に係る情報収集システムにおいては、情報収集装置が、充電装置を識別する識別子と充電装置を取り付けた前記遊技台の位置に関連する情報とを対応付けて記憶しており、かかる記憶情報を参照して、識別情報と取得時刻と充電装置の位置とを紐づける。なお、遊技台の位置に関連する情報は、遊技台を配置した店舗を識別する店番および遊技台を識別する台番を含んでいる。また、複数の充電装置は、所定領域内の複数の遊技台にそれぞれ配置されて、情報収集装置とシリアル通信により接続されており、複数の充電装置に対して識別情報を要求する通信フレームを送信し、その通信フレームへ応答する通信フレームから識別情報を取得する。また、複数の充電装置は、さらにユーザ端末への充電時間を含む充電履歴情報を保存し、情報収集装置は、さらに充電履歴情報を取得する。そして、複数の情報収集装置から紐付けられたデータを収集し、識別情報に対応する遊技履歴を蓄積するデータベースをさらに備える。
【００２２】
《情報収集システム》
以下、図２Ａ〜図３Ｂを参照して、本実施形態に係る情報収集システム２００の構成および動作を説明する。なお、以下に示す情報収集システム２００の構成および動作はその一例であって、使用する各構成要素（装置や通信媒体など）は本実施形態を実現できるものであれば、かかる実施形態に限定されるものではない。
【００２３】
（システムブロック）
図２Ａは、本実施形態に係る情報収集システム２００の構成を示すブロック図である。
【００２４】
図２Ａにおいて、遊技場２０１には、複数の遊技台が島２０２の状態の並び、それらの島２０２が複数並んでいる。この複数の遊技台のそれぞれに、非接触充電機能と非接触通信機能とを搭載した充電装置２１０が取り付けられている。各島２０２には、各島２０２に含まれる複数の遊技台にそれぞれ取り付けられた複数の充電装置２１０とシリアル通信線で接続されて、充電装置２１０を使用したユーザの識別情報を収集して遊技台と紐付ける終端装置２２０が設置されている。すなわち、終端装置２２０においては、ユーザの識別情報が位置情報と紐付けられる。複数の終端装置２２０は、スイッチングハブ２４１で集められて光りネットワーク装置（ＯＮＵ）２４０と光ネットワークで接続されている。
【００２５】
各遊技場２０１の光りネットワーク装置（ＯＮＵ）２４０は、インターネットを含むネットワーク２７０によりクラウドサーバ２５０に接続されて、全遊技場におけるユーザの識別情報が遊技台と紐付けられて集められる。クラウドサーバ２５０に集められた全遊技場の識別情報と遊技台とが紐付けられたマッピング情報は、データ分析サーバ２６０によって分析されて、顧客回遊（動線）情報の生成や、遊技場の管理運営のために利用される。さらに、他の顧客回遊データと組み合わせることによって、より正確で有効な分析が可能となる。
【００２６】
（遊技台に配置された充電装置）
図２Ｂは、本実施形態に係る情報収集システム２００における遊技台に配置された充電装置２１０を示す図である。図２Ｂは、図２Ａにおける各島２０２の一部の遊技台と充電装置２１０の取り付け状態を示す図であるが、かかる配置に限定されない。
【００２７】
充電装置２１０は、各遊技台２０３のカウンタ２０４に取り付けられている。ユーザは、非接触充電をしたいユーザ端末２３０を充電装置２１０の上に置く。ユーザ端末２３０と充電装置２１０とは、非接触充電と非接触通信とを行うことができるように構成されている。なお、本実施形態においては、非接触通信としてＮＦＣを採用するが、これに限定されるものではなく、ＮＦＣに特有な構成を有するのもではない。また、非接触充電としては、電磁誘導方式や磁界共振方式などがあるが、非接触充電方式を限定するものでなく、本実施形態の構成は非接触充電方式により何ら制限されるものではない。
【００２８】
各遊技台２０３に取り付けられた複数の充電装置２１０は、シリアル通信線と電源線により、島単位で識別情報を収集する終端装置２２０に接続されている。本実施形態では、設備を簡素化しても十分に機能を果たすためにシリアル通信としてＲＳ４８５を使用するが、他の通信方式であってもよい。
【００２９】
（構成要素の接続例）
図２Ｃは、本実施形態に係る情報収集システム２００の構成要素の接続例を示す図である。なお、図２Ｃにおいて、図２Ａと同様の構成要素には同じ参照番号を付している。また、図２Ｃにおいて、ＣＮはコネクタを表している。また、図２Ｃの各構成要素の構成は一例であって、所望の機能を果たすものであればこれに限定されない。
【００３０】
充電装置２１０は、充電装置制御基板と、非接触充電部と、非接触通信部と、を有している。１チップとして製造され得る充電装置制御基板は、ディップスイッチと、スレーブとしてのＲＳ４８５トランシーバと、制御部とを有している。また、終端装置２２０は、マスターとしてのＲＳ４８５ＩＦ基板と、イーサネット（登録商標）の光ネットワークの接続される制御モジュールとを有している。複数の終端装置２２０からのデータを１つにまとめるスイッチングハブ２４１と、ルータと通信制御モジュールとからなる光ネットワーク装置２４０とが接続される。
【００３１】
（収集データ）
図２Ｄは、本実施形態に係る情報収集システム２００の各構成要素での収集データを示す図である。図２Ｄにおいては、情報収集システム２００を構成する各構成要素で、情報がどのように変化するかを俯瞰する図である。
【００３２】
ユーザ端末２３０からは、ユーザを示す識別情報が充電装置２１０に出力される。充電装置２１０においては、識別情報に充電装置２１０に固有の装置識別子と、充電ログとが対応付けられる。複数の充電装置２１０からシリアル通信で情報を収集した終端装置２２０においては、識別情報に装置識別子と充電ログとが対応付けられた情報に、各充電装置２１０が取り付けられた遊技台の店番、島番、台番が紐付けられマッピングされる。光ネットワーク装置２４０には、複数の終端装置２２０からの情報が収集されて、店全体の情報が生成される。そして、クラウドサーバ２５０においては、店番で管理される全遊技場（全店）からの情報が収集される。
【００３３】
（動作シーケンス）
図３Ａおよび図３Ｂは、本実施形態に係る情報収集システム２００の動作手順を示すシーケンス図である。
【００３４】
図３Ａは、充電装置２１０がユーザ端末２３０から識別情報を得て、遊技場（店舗）毎のマッピング情報を生成するまでの動作シーケンスである。
【００３５】
ユーザ端末２３０は、ステップＳ３０１において、ユーザの指示により充電アプリケーションを起動する。なお、充電アプリケーションは既にダウンロード済みとする。ユーザがユーザ端末２３０を充電装置２１０の上に置くと、ステップＳ３０３において、ユーザ端末２３０と充電装置２１０との間で非接触通信を確立する。ユーザ端末２３０は非接触通信において識別情報を充電装置２１０に送信し、充電装置２１０は、ステップＳ３０５において、識別情報を受信して保存する。充電装置２１０は、ステップＳ３０７において、ユーザ端末２３０の非接触充電を開始する。
【００３６】
所定インターバルで、終端装置２２０は、ステップＳ３０９において、複数の充電装置２１０に保存された識別情報を要求する。複数の充電装置２１０は識別情報を終端装置２２０に返し、終端装置２２０は、ステップＳ３１１において、識別情報を取得する。そして、終端装置２２０は、ステップＳ３１３において、店番、台番に対応付けて識別情報と時刻とを記憶する。
【００３７】
その後、ユーザ端末２３０は、充電率を監視して充電完了になれば、ステップＳ３１５において、充電完了を充電装置２１０に通知する。充電装置２１０はステップＳ３１７において、非接触充電の終了を行う。充電率の監視は、充電装置２１０で行ってもよい。また、非接触充電の開始時刻や終了時刻、その間の充電時間は、充電ログとして充電装置２１０に保存されて終端装置２２０に送られても、その都度、識別情報と共に終端装置２２０に送られてもよい。終端装置２２０は、ステップＳ３１９において、接続された複数の充電装置２１０の識別情報の受信履歴を光ネットワーク装置２４０に送信する。各店舗の光ネットワーク装置２４０は、ステップＳ３２１において、店舗内の複数の終端装置２２０から、マッピングされた店番、台番、識別情報、遊技時間（充電時間）を対応付けて取得する。
【００３８】
なお、非接触通信でユーザ端末２３０から充電装置２１０に送信される識別情報としては、ユーザ識別子（またはユーザ端末識別子）が使用されてよいが、ユーザ端末２３０の充電アプリケーションによって入力させた個人情報（実名やハンドルネームなど）であってもよい。
【００３９】
図３Ｂは、遊技場（店舗）毎のマッピング情報をクラウドサーバ２５０に集めて、データ分析サ０バ２６０が利用するまでの動作シーケンスである。
【００４０】
光ネットワーク装置２４０は、ステップＳ３３１において、店舗内の複数の終端装置２２０から取得した、マッピングされた店番、台番、識別情報、遊技時間（充電時間）を各店舗の店マッピング情報としてクラウドサーバ２５０に送信する。クラウドサーバ２５０は、ステップＳ３３３において、各店舗からの識別情報を含む送信情報を収集して、店マッピング情報を履歴データベース２５１に蓄積する。また、クラウドサーバ２５０は、ステップＳ３３５において、履歴データベース２５１に蓄積された店マッピング情報を識別情報でソーティングして、ユーザの行動履歴（導線）情報を履歴データベース２５１に格納する。
【００４１】
データ分析サーバ２６０から、ステップＳ３４１において、蓄積データの要求があれば、クラウドサーバ２５０は、ステップＳ３４３において、要求された蓄積データを履歴データベースから取得して、データ分析サーバ２６０に送信する。データ分析サーバ２６０は、ステップＳ３４５において、受信した蓄積データを用いてデータ分析を行う。そして、店舗端末２８０から、ステップＳ３５１において、分析データの閲覧要求があれば、あるいは、ユーザ端末２３０から、ステップＳ３５３において、分析データの閲覧要求があれば、データ分析サーバ２６０は、ステップＳ３５５において、分析データを公開する。店舗端末２８０は、ステップＳ３５７において、また、ユーザ端末２３０は、ステップＳ３５９において、受信した分析データを表示する。
【００４２】
《ユーザ端末》
（機能構成）
図４は、本実施形態に係るユーザ端末２３０の機能構成を示すブロック図である。なお、図４には、本実施形態の処理に関連する機能構成を図示し、関連の少ない機能構成は省略されている。
【００４３】
図４において、ユーザ端末２３０は、通信制御部４０１と、入出力インタフェース４０２と、アプリケーション受信部４０３と、アプリケーション記憶部４０４と、充電アプリケーション実行部４０５と、識別情報記憶部４０６と、を備える。
【００４４】
通信制御部４０１は、ネットワーク２７０を介して他のユーザ端末やクラウドサーバを含む他の装置との通信を制御する。入出力インタフェース４０２には、表示部４０７、操作部４０８、非接触通信部４０９、非接触充電部４１０が接続して、充電アプリケーション実行部４０５の制御を受ける。非接触通信部４０９は、充電装置２１０との非接触通信を実行する。非接触充電部４１０は、充電装置２１０からの非接触充電を受けて、蓄電部４１１に蓄電する。
【００４５】
アプリケーション受信部４０３は、ネットワーク２７０を介してクラウドサーバ２５０などからアプリケーションを受信する。アプリケーション記憶部４０４は、ダウンロードしたアプリケーションを記憶する。
【００４６】
充電アプリケーション実行部４０５は、アプリケーション記憶部４０４に記憶された充電アプリケーションを起動して実行する。充電アプリケーション実行部４０５は、表示／操作制御部４５１と、識別情報取得部４５２と、非接触通信制御部４５３と、非接触充電制御部４５４と、を有する。表示／操作制御部４５１は、入出力インタフェース４０２を介して表示部４０７への表示出力や操作部４０８からの入力および操作を制御する。識別情報取得部４５２は、識別情報記憶部４０６から識別情報を取得して、非接触通信制御部４５３および非接触通信部４０９に渡し、充電装置２１０に送信する。非接触通信制御部４５３は、非接触通信部４０９を制御して、充電装置２１０との非接触通信を実行させる。非接触充電制御部４５４は、非接触充電部４１０を制御して、充電装置２１０からの給電を受けて蓄電部４１１を充電する。なお、非接触充電制御部４５４は、蓄電部４１１の充電率を検出して、充電の完了を制御する。あるいは、検出した充電率を充電装置２１０に通知してもよい。
【００４７】
識別情報記憶部４０６は、ユーザ端末２３０の個人情報を記憶する。識別情報記憶部４０６は、例えば、端末ＩＤ４６１、ユーザＩＤなどの識別情報４６２、ユーザ属性情報４６３などを記憶する。
【００４８】
（処理手順）
図５は、本実施形態に係るユーザ端末２３０の処理手順を示すフローチャートである。このフローチャートは、ユーザ端末２３０のＣＰＵがＲＡＭを使用しながら実行して、図４の機能構成部を実現する。
【００４９】
ユーザ端末２３０は、ステップＳ５１１において、アプリケーションのダウンロード指示であるか否かを判定する。ダウンロード指示であると判定すれば、ユーザ端末２３０は、ステップＳ５１３において、アプリケーションをダウンロードする。そして、ユーザ端末２３０は、ステップＳ５１５において、ダウンロードしたアプリケーションをアプリケーション記憶部４０４に記憶する。
【００５０】
アプリケーションのダウンロード指示でなければ、ユーザ端末２３０は、ステップＳ５２１において、充電アプリケーションの起動指示であるか否かを判定する。充電アプリケーションの起動指示であれば、ユーザ端末２３０は、ステップＳ５２３において、充電アプリケーションを起動する。そして、ユーザ端末２３０は、ステップＳ５２５において、充電アプリケーションに関連する入力を待機する。
【００５１】
ステップＳ５３１からＳ５４５までの処理は、起動された端末プログラムである充電アプリケーションの処理である。アプリケーションのダウンロード指示や起動指示でなければ、ユーザ端末２３０は、ステップＳ５３１において、非接触通信の開始であるか否かを判定する。非接触通信の開始であれば、ユーザ端末２３０は、ステップＳ５３３において、非接触通信の確立処理を実行する。そして、ユーザ端末２３０は、ステップＳ５３５において、非接触通信の相手装置が非接触充電の充電装置２１０であるか否かを確認する。非接触充電の充電装置でなければ、他の処理をする。非接触充電の充電装置２１０であれば、ユーザ端末２３０は、ステップＳ５３７において、識別情報を識別情報記憶部４０６から取得して、非接触通信で充電装置２１０に送信する。そして、ユーザ端末２３０は、ステップＳ５３９において、非接触充電の準備を行う。ユーザ端末２３０は、ステップＳ５４１において、充電率を監視し充電率が閾値（Ｔｈ）以上になるのを待機する。充電率が閾値（Ｔｈ）以上になると、ユーザ端末２３０は、ステップＳ５４３において、充電完了を充電装置２１０に通知し、充電装置２１０との非接触通信を切断する。そして、ユーザ端末２３０は、ステップＳ５４５において、充電アプリケーションを終了させる。なお、充電装置２１０が充電率を監視する場合は、ステップＳ５４１とＳ５４３はいらない。
【００５２】
アプリケーションのダウンロード指示や起動指示でなく、非接触通信の開始でもなければ、ユーザ端末２３０は、ステップＳ５５１において、他の処理であるか否かを判定する。他の処理であれば、ユーザ端末２３０は、ステップＳ５５３において、他の処理を行う。
【００５３】
《充電装置》
（機能構成）
図６は、本実施形態に係る充電装置２１０の機能構成を示すブロック図である。なお、図６には、本実施形態の処理に関連する機能構成を図示し、関連の少ない機能構成は省略されている。
【００５４】
図６において、充電装置２１０は、シリアル通信制御部６０１と、入出力インタフェース６０２と、電源コネクタ６０３と、を備える。さらに、充電装置２１０は、装置識別子取得部６０４と、非接触通信制御部６０５と、非接触充電制御部６０６と、識別情報保存部６０７と、識別情報／充電ログ送信部６０８と、充電ログ記録部６０９と、識別情報要求受信部６１０と、を備える。
【００５５】
シリアル通信制御部６０１は、他の充電装置あるいは終端装置２２０とのシリアル通信を制御する。本実施形態においては、ＲＳ４８５によるシリアル通信を行うが、これに限定されない。入出力インタフェース６０２には、非接触充電部６１１、非接触通信部６１２、装置識別子（ディップスイッチ）６１３、が接続される。なお、入出力インタフェース６０２には、オプションとして、表示／操作制御部６１４により制御される表示部６１５、操作部６１６、が接続される。非接触充電部６１１は、電源コネクタ６０３から入力した電源によりユーザ端末２３０に非接触充電を行う。非接触通信部６１２は、ユーザ端末２３０との非接触通信を行う。装置識別子（ディップスイッチ）６１３は、本充電装置２１０固有の識別子を設定する構成要素である。本実施形態においては、設定を容易にするためディップスイッチで実現したが、他の不揮発性記憶の構成要素であってもよい。
【００５６】
電源コネクタ６０３は、非接触充電用の電源を入力する。装置識別子取得部６０４は、装置識別子（ディップスイッチ）６１３から固有の装置識別子を取得する。非接触通信制御部６０５は、非接触通信部６１２を制御してユーザ端末２３０との非接触通信を実行する。非接触充電制御部６０６は、非接触充電部６１１を制御してユーザ端末２３０の非接触充電を実行する。なお、非接触充電における充電率の検出は、ユーザ端末２３０からの通知によっても非接触充電部６１１による充電履歴の検出に基づいてもよい。識別情報保存部６０７は、非接触通信部６１２で受信したユーザ端末２３０からの受信データから、非接触通信制御部６０５が抽出した識別情報を保存する。識別情報／充電ログ送信部６０８は、識別情報要求受信部６１０からの識別情報要求に応答して、識別情報保存部６０７に保存された現在、非接触充電中（あるいは、非接触通信中）のユーザ端末２３０からの識別情報を、シリアル通信制御部６０１を介して終端装置２２０に送信する。また、識別情報／充電ログ送信部６０８は、識別情報要求受信部６１０からの識別情報要求に応答して、充電ログ記録部６０９に記録された非接触充電ログがあればシリアル通信制御部６０１を介して終端装置２２０に送信する。充電ログ記録部６０９は、非接触充電制御部６０６が検出した、充電時刻や充電時間などの充電ログを記録する。識別情報要求受信部６１０は、終端装置２２０からの所定インターバルの識別情報要求を受けて、自装置への要求であれば、識別情報／充電ログ送信部６０８に対して識別情報（充電ログ）の送信を指示する。
【００５７】
（データ構成）
図７は、本実施形態に係る充電装置２１０におけるデータ構成を示す図である。図７には、充電装置２１０におけるデータ構成として、識別情報保存部６０７と、充電ログ記録部６０９と、シリアル通信のフレームフォーマット７２０と、を示す。
【００５８】
識別情報保存部６０７は、識別情報７１１と、識別情報の取得時刻７１２とを対応付けて記憶する。充電ログ記録部６０９は、識別情報７１３と、識別情報に対応するユーザ端末２３０への充電ログ７１４とを対応付けて記憶する。
【００５９】
シリアル通信のフレームフォーマット７２０は、例えば、ＳＴＸ（スタートテキスト）７２１、宛先のＩＤ７２２、通信するデータ７２３、誤り検出用ＢＣＣ７２４、７２５、ＥＴＸ（エンドテキスト）７２６を含む。宛先ＩＤ７２２には、充電装置２１０に固有の装置識別子が設定され、通信先の充電装置２１０が特定される。なお、フレームフォーマット７２０は、図７に限定されず、送受信切替を安定させるＤＭＹ（ダミーデータ）を含むものもある。
【００６０】
（ハードウェア構成）
図８は、本実施形態に係る充電装置２１０のハードウェア構成を示すブロック図である。なお、図８において、図６と同様の構成要素には同じ参照番号を付して、重複する説明を省略する。
【００６１】
図８で、ＣＰＵ(Central Processing Unit)８１０は演算制御用のプロセッサであり、プログラムを実行することで図６の機能構成部を実現する。ＲＯＭ(Read Only Memory)８２０は、初期データおよびプログラムなどの固定データおよびプログラムを記憶する。
【００６２】
ＲＡＭ(Random Access Memory)８４０は、ＣＰＵ８１０が一時記憶のワークエリアとして使用するランダムアクセスメモリである。ＲＡＭ８４０には、本実施形態の実現に必要なデータを記憶する領域が確保されている。装置識別子８４１は、装置識別子（ディップスイッチ）６１３から取得した装置固有の識別子である。識別情報等記憶部８４２は、ユーザ端末２３０から受信した識別情報などのデータである。充電情報記憶部８４３は、充電ログなどのデータである。受信フレームおよび受信フレームは、図７のフレームフォーマット７２０を有する終端装置２２０からの受信および送信のフレームデータである。
【００６３】
ストレージ８５０には、データベースや各種のパラメータ、あるいは本実施形態の実現に必要な以下のデータまたはプログラムが記憶されている。シリアル通信スレーブプロトコル／フォーマット８５１は、本実施形態におけるシリアル通信のスレーブ側のプロトコルおよびフォーマットを格納する。ストレージ８５０には、以下のプログラムが格納される。充電装置制御プログラム８５２は、充電装置２１０の全体を制御するプログラムである。非接触通信制御モジュール８５３は、非接触通信部６１２によるユーザ端末２３０との非接触通信を制御するモジュールである。非接触充電制御モジュール８５４は、非接触充電部６１１によるユーザ端末２３０の非接触充電を制御するモジュールである。シリアル通信制御モジュール８５５は、シリアル通信制御部６０１を用いて他の充電装置２１０や終端装置２２０とのシリアル通信を制御するモジュールである。
【００６４】
なお、図８のＲＡＭ８４０やストレージ８５０には、充電装置２１０が有する汎用の機能や他の実現可能な機能に関連するプログラムやデータは図示されていない。
【００６５】
（処理手順）
図９は、本実施形態に係る充電装置２１０の処理手順を示すフローチャートである。このフローチャートは、図８のＣＰＵ８１０がＲＡＭ８４０を用いて実行し、図６の機能構成部を実現する。
【００６６】
充電装置２１０は、ステップＳ９１１において、非接触通信の開始であるか否かを判定する。非接触通信の開始であれば、充電装置２１０は、ステップＳ９１３において、ユーザ端末２３０との非接触通信の確立処理を行う。非接触通信が確立すると、充電装置２１０は、ステップＳ９１５において、自分が非接触充電を行う充電装置２１０であることをユーザ端末２３０に通知する。そして、充電装置２１０は、ステップＳ９１７において、ユーザ端末２３０からの識別情報の受信を待つ。充電装置２１０は、ステップＳ９１９において、タイムアウトを判断し、識別情報の受信が無ければ、ステップＳ９２１においてエラー処理を行う。
【００６７】
ユーザ端末２３０からの識別情報を受信すると、充電装置２１０は、ステップＳ９２３において、受信した識別情報を識別情報保存部６０７に記憶する。そして、充電装置２１０は、ステップＳ９２５において、ユーザ端末２３０の非接触充電の開始を指示する。
【００６８】
非接触通信の開始でなければ、充電装置２１０は、ステップＳ９３１において、ユーザ端末２３０からの充電完了通知を受けたか否かを判定する。受電完了通知を受けると、ステップＳ９３３において、非接触充電を終了させる。充電装置２１０は、ステップＳ９３５において、充電時間などの充電ログを充電ログ記録部６０９に記憶する。充電装置２１０は、ステップＳ９３７において、ユーザ端末２３０との非接触通信の切断処理を行う。
【００６９】
非接触通信の開始でなく充電完了通知でもなければ、充電装置２１０は、ステップＳ９４１において、終端装置２２０からの識別情報要求のフレームを受信したか否かを判定する。識別情報要求のフレームを受信すると、充電装置２１０は、ステップＳ９４３において、受信フレームからＩＤ７２２を抽出する。充電装置２１０は、ステップＳ９４５において、各充電装置固有の装置識別子を取得して、受信フレームのＩＤ７２２と比較する。充電装置２１０は、ステップＳ９４７において、各充電装置固有の装置識別子と受信フレームのＩＤ７２２とが等しいか否かを判定する。等しくなければ自装置への識別情報要求でないと判断し何もしない。等しければ、充電装置２１０は、ステップＳ９４９において、記憶された識別情報（準備されていれば、充電ログ）を読み出してデータ７２３に挿入した、終端装置宛ての送信フレームを生成する。充電装置２１０は、ステップＳ９５１において、生成した送信フレームを終端装置２２０に送信する。充電装置２１０は、ステップＳ９５３において、送信の正常終了を待つ。
【００７０】
なお、識別情報や充電ログは、終端装置２２０に送信されればクリアしてもよいし、識別情報はユーザ端末２３０から受信すると上書きしてもよい。充電装置２１０が充電率を監視する構成の場合は、ステップＳ９２７の判定処理が、図５の充電率を監視するステップＳ５４１に代替されればよい。
【００７１】
《終端装置》
（機能構成）
図１０は、本実施形態に係る情報収集装置としての終端装置２２０の機能構成を示すブロック図である。なお、図１０には、本実施形態の処理に関連する機能構成を図示し、関連の少ない機能構成は省略されている。
【００７２】
図１０において、終端装置２２０は、シリアル通信制御部１００１と、識別情報（充電ログ）受信部１００２と、識別情報マッピング部１００３と、台配置情報記憶部１００４と、島マッピング情報蓄積部１００５と、を備える。さらに、終端装置２２０は、光通信制御部１００６と、マッピング情報送信制御部１００７と、島マッピング情報送信部１００８と、を備える。
【００７３】
シリアル通信制御部１００１は、複数の遊技台に設置された複数の充電装置２１０とのシリアル通信を制御する。本実施形態においては、例えば、０．５秒ごとに各充電装置２１０へポーリングする。識別情報（充電ログ）受信部１００２は、複数の充電装置２１０とのシリアル通信による受信フレームから識別情報や充電ログを抽出する。識別情報マッピング部１００３は、複数の充電装置２１０からの識別情報を、台配置情報記憶部１００４に記憶された充電装置２１０の位置に関連する台番、島番、店番を参照して、識別情報をマッピングする（紐付ける）。台配置情報記憶部１００４は、各充電装置２１０に固有の装置識別子に対応付けて位置に関連する台番、島番、店番を記憶する。島マッピング情報蓄積部１００５は、識別情報マッピング部１００３でマッピングされた識別情報と位置とを蓄積する。
【００７４】
光通信制御部１００６は、光ネットワーク装置２４０との光通信を制御する。なお、本実施形態においては、光通信はイーサネット（登録商標）であるがこれに限定されるものではない。マッピング情報送信制御部１００７は、光ネットワーク装置２４０への島マッピング情報蓄積部１００５に蓄積されたマッピング情報の送信を制御する。
【００７５】
（データ構成）
図１１は、本実施形態に係る情報収集装置としての終端装置２２０におけるデータ構成を示す図である。図１１には、台配置情報記憶部１００４のデータ構成と、島マッピング情報蓄積部１００５のデータ構成を示す。
【００７６】
台配置情報記憶部１００４は、店番１１１１と島番１１１２とに対応付けて、複数の装置識別子１１１３と位置情報に相当する台番１１１４とを記憶する。なお、装置識別子１１１３には、本実施形態において通信フレームのＩＤとして使用される値を記載したが、装置独自に設定された識別子であってもよい。また、島番１１１２については省略してもよい。
【００７７】
島マッピング情報蓄積部１００５は、店番１１２１と島番１１２２とに対応付けて、複数の台番１１２３を記憶する。そして、各台番に対応付けて、その遊技台における時系列の遊技時間（遊技時間）１１２４と、充電時間１１２５と、識別情報１１２６との履歴を記憶する。
【００７８】
（ハードウェア構成）
図１２は、本実施形態に係る情報収集装置としての終端装置２２０のハードウェア構成を示すブロック図である。図１２において、図１０と同様の構成要素には同じ参照番号を付して、重複する説明を省略する。
【００７９】
図１２で、ＣＰＵ１２１０は演算制御用のプロセッサであり、プログラムを実行することで図１０の機能構成部を実現する。ＲＯＭ１２２０は、初期データおよびプログラムなどの固定データおよびプログラムを記憶する。ネットワークインタフェース１２３０は、イーサネット（登録商標）の光ネットワークＬＡＮを介して光ネットワーク装置２４０との通信を制御する。
【００８０】
ＲＡＭ１２４０は、ＣＰＵ１２１０が一時記憶のワークエリアとして使用するランダムアクセスメモリである。ＲＡＭ１２４０には、本実施形態の実現に必要なデータを記憶する領域が確保されている。識別情報１２４１は、シリアル通信制御部１００１を介して充電装置２１０から受信した装置識別子に対応付けられた識別情報である。充電ログ１２４２は、シリアル通信制御部１００１を介して充電装置２１０から受信した装置識別子に対応付けられた充電ログである。識別情報収集時刻１２４３は、識別情報１２４１が受信された時刻（タイムスタンプ）である。生成した島マッピング情報１２４４は、終端装置２２０に接続された複数の充電装置２１０全体のマッピング情報である。送受信データ１２４５は、ネットワークインタフェース１２３０を介して送受信されるデータである。入出力データ１２４６は、入出力インタフェース１２６０を介して入出力されるデータである。なお、入出力インタフェース１２６０、および、入出力インタフェース１２６０に接続される表示部１２６１、操作部１２６２、外部記憶部１２６３はオプションである。ただし、外部記憶部１２６３は台配置情報記憶部１００４に情報をロードするには有用である。
【００８１】
ストレージ１２５０には、データベースや各種のパラメータ、あるいは本実施形態の実現に必要な以下のデータまたはプログラムが記憶されている。台配置情報記憶部１００４は、図１１で説明したように、充電装置２１０の装置識別子に対応つけて遊技台の店番、台番などを格納する。島マッピング情報蓄積部１００５は、各終端装置２２０に接続された充電装置２１０が位置と紐付けられたマッピング情報を格納する。シリアル通信マスタープロトコル／フォーマット１２５１は、本実施形態におけるシリアル通信のマスター側のプロトコルおよびフォーマットを格納する。識別情報収集タイミング（インターバル）１２５２は、充電装置２１０からの識別情報の収集タイミング（インターバル）を記憶する。ストレージ１２５０には、以下のプログラムが格納される。終端装置制御プログラム１２５３は、終端装置２２０の全体を制御するプログラムである。シリアル通信制御モジュール１２５４は、シリアル通信制御部１００１を用いて充電装置２１０とのシリアル通信を制御するモジュールである。識別情報・台番マッピングモジュール１２５５は、充電装置２１０から収集した識別情報と、充電装置２１０が取り付けられた遊技台の台番をマッピングするモジュールである。島マッピング情報送信モジュール１２５６は、本終端装置２２０に接続する複数の充電装置２１０の遊技台の台番をマッピングした識別情報を、光ネットワーク装置２４０を介してクラウドサーバ２５０に送信するモジュールである。
【００８２】
なお、図１２のＲＡＭ１２４０やストレージ１２５０には、終端装置２２０が有する汎用の機能や他の実現可能な機能に関連するプログラムやデータは図示されていない。
【００８３】
（処理手順）
図１３は、本実施形態に係る情報収集装置としての終端装置２２０の処理手順を示すフローチャートである。このフローチャートは、図１２のＣＰＵ１２１０がＲＡＭ１２４０を用いて実行し、図１０の機能構成部を実現する。
【００８４】
終端装置２２０は、ステップＳ１３０１において、識別情報の収集タイミング（インターバル）を待機する。識別情報の収集タイミングになると、終端装置２２０は、ステップＳ１３０３において、取得先の充電装置２１０の装置識別子を設定した、情報要求フレームを生成して送信する。そして、終端装置２２０は、ステップＳ１３０５において、取得先の充電装置２１０からの受信フレームを待つ。終端装置２２０は、ステップＳ１３０７において、タイムアウトを判定し、取得先の充電装置２１０からの受信フレームが受信できなければ、ステップＳ１３０９でエラー処理をして、次の充電装置２１０からの識別情報収集に進む。
【００８５】
取得先の充電装置２１０からの受信フレームを受信すると、終端装置２２０は、ステップＳ１３１１において、受信フレーム内のデータ（識別情報／充電ログ）７２３を装置識別子に対応付けて取得する。次に、終端装置２２０は、ステップＳ１３１３において、台配置情報記憶部１００４から台配置情報を取得する。そして、終端装置２２０は、ステップＳ１３１５において、識別情報と台番とを紐付けてマッピング情報を生成する。終端装置２２０は、ステップＳ１３１７において、生成されたマッピング情報を、島マッピング情報蓄積部１００５に追加する。終端装置２２０は、ステップＳ１３１９において、終端装置２２０に接続された全充電装置２１０からの識別情報を要求したか否かを判定する。全充電装置２１０からの識別情報を要求してなければ、終端装置２２０は、ステップ１３０１に戻って処理を繰り返す。なお、識別情報が保存されてない、すなわち、ユーザが充電してない（遊技してない）場合は、その情報は無いものとする。
【００８６】
全充電装置２１０からの識別情報を要求した場合、終端装置２２０は、ステップＳ１３２１において、島マッピング情報を島マッピング情報蓄積部１００５から取得する。そして、終端装置２２０は、ステップＳ１３２３において、島マッピング情報を光ネットワーク装置２４０に送信する。終端装置２２０は、ステップＳ１３２５において、送信完了を待って、送信完了すると、ステップＳ１３２７において、島マッピング情報をクリアする。
【００８７】
《光ネットワーク装置》
（機能構成）
図１４は、本実施形態に係る光ネットワーク装置２４０の機能構成を示すブロック図である。なお、図１４には、本実施形態の処理に関連する機能構成を図示し、関連の少ない機能構成は省略されている。
【００８８】
図１４において、光ネットワーク装置２４０は、光通信制御部１４０１と、島マッピング情報受信部１４０２と、店マッピング情報生成部１４０３と、店マッピング情報蓄積部１４０４と、店マッピング情報送信部１４０５と、通信制御部１４０６と、を備える。
【００８９】
光通信制御部１４０１は、複数の終端装置２２０との光通信を制御する。島マッピング情報受信部１４０２は、各終端装置２２０からの島マッピング情報を受信する。店マッピング情報生成部１４０３は、島マッピング情報受信部１４０２が受信した各終端装置２２０からの島マッピング情報をまとめて、店マッピング情報を生成する。店マッピング情報蓄積部１４０４は、店マッピング情報生成部１４０３が生成した店マッピング情報を蓄積する。店マッピング情報送信部１４０５は、店マッピング情報蓄積部１４０４に蓄積された店マッピング情報を、通信制御部１４０６を介してクラウドサーバ２５０に送信する。なお、本実施形態においては、店マッピング情報の送信を５秒ごとに行うよう制御するが、これに限定されるわけではない。
【００９０】
（データ構成）
図１５は、本実施形態に係る光ネットワーク装置２４０におけるデータ構成を示す図である。図１５には、店マッピング情報蓄積部１４０４のデータ構成を示す。
【００９１】
店マッピング情報蓄積部１４０４は、店番１５１１に対応付けて複数の島番１５１２を記憶する。また、各島番１５１２に対応付けて複数の台番１５１３を記憶する。そして、各台番１５１３に対応付けて時系列の識別情報１５１４と遊技時刻（遊技時間）１５１５の対を記憶する。
【００９２】
（処理手順）
図１６は、本実施形態に係る光ネットワーク装置２４０の処理手順を示すフローチャートである。このフローチャートは、光ネットワーク装置２４０のＣＰＵがＲＡＭを用いて実行し、図１４の機能構成部を実現する。
【００９３】
光ネットワーク装置２４０は、ステップＳ１６１１において、店マッピング情報の収集であるか否かを判定する。店マッピング情報の収集であれば、光ネットワーク装置２４０は、ステップＳ１６１３において、各島の終端装置２２０から島マッピング情報を取得する。そして、光ネットワーク装置２４０は、ステップＳ１６１５において、店マッピング情報を生成して保持する。店マッピング情報の収集でなければ、光ネットワーク装置２４０は、ステップＳ１６２１において、店マッピング情報のクラウドサーバ２５０への送信であるか否かを判定する。クラウドサーバ２５０への送信であれば、光ネットワーク装置２４０は、ステップＳ１６２３において、クラウドサーバ２５０との通信を確立する。光ネットワーク装置２４０は、ステップＳ１６２５において、店マッピング情報を取得する。そして、光ネットワーク装置２４０は、ステップＳ１６２７において、クラウドサーバ２５０に店マッピング情報を送信する。
【００９４】
《クラウドサーバ》
（機能構成）
図１７は、本実施形態に係る情報処理装置としてのクラウドサーバ２５０の機能構成を示すブロック図である。なお、図１７には、本実施形態の処理に関連する機能構成を図示し、関連の少ない機能構成は省略されている。
【００９５】
図１７において、クラウドサーバ２５０は、通信制御部１７０１と、店マッピング情報受信部１７０２と、店マッピング情報格納処理部１７０３と、履歴データベース２５１と、を備える。さらに、クラウドサーバ２５０は、識別情報ソート部１７０４と、ソート情報要求受信部１７０５と、ソート情報送信部１７０６と、を備える。
【００９６】
通信制御部１７０１は、ネットワーク２７０を介して各店舗の光ネットワーク装置２４０やユーザ端末２３０、データ分析サーバ２６０との通信を制御する。店マッピング情報受信部１７０２は、光ネットワーク装置２４０から送信された店マッピング情報を受信する。店マッピング情報格納処理部１７０３は、店マッピング情報受信部１７０２が受信した店マッピング情報を履歴データベース２５１に格納する。履歴データベース２５１は、店マッピング情報あるいはユーザ個別の識別情報に基づいてソーティングされた位置履歴情報（店番、台番）の履歴を蓄積する。
【００９７】
識別情報ソート部１７０４は、履歴データベース２５１に格納された店マッピング情報をユーザ個別の識別情報に基づいてソーティングして、履歴データベース２５１に格納する。なお、ソーティング結果に対しては、不図示の遊技場内の遊技台の配置位置や遊技場の地図上の配置位置などの情報を参照して、店（遊技場）や遊技台の位置情報が紐付けられる。ソート情報要求受信部１７０５は、ユーザ端末２３０やデータ分析サーバ２６０からのソート情報の閲覧・取得の要求を受信する。ソート情報送信部１７０６は、ユーザ端末２３０やデータ分析サーバ２６０に履歴データベース２５１に格納された店マッピング情報あるいはユーザ個別の識別情報に基づいてソーティングされた位置履歴情報（店番、台番）の履歴を送信する。
【００９８】
（データ構成）
図１８は、本実施形態に係る履歴データベース２５１におけるデータ構成を示す図である。図１８には、各店舗から収集された店マッピング情報を蓄積する蓄積データ１８１０のデータ構成と、識別情報ソート部１７０４で蓄積された全店の店マッピング情報を識別情報でソーティングした結果のソートデータ１８２０のデータ構成とを示す。
【００９９】
蓄積データ１８１０は、複数の店番１８１１の各店番に対応付けて複数の島番１８１２を記憶する。各島番１８１２に対応付けて複数の台番１８１３を記憶する。そして、各台番１８１３に対応付けて時系列の識別情報１８１４と遊技時刻（遊技時間）１８１５の対を記憶する。
【０１００】
ソートデータ１８２０は、複数の識別情報１８２１の各識別情報に対応付けて、時系列に複数の遊技時刻（遊技時間）１８２２と、店番１８２３と、島番１８２４と、台番１８２５と、さらに、不図示の遊技場の遊技台の配置位置や遊技場の地図上の配置位置などを参照して紐付けられた、店（遊技場）や遊技台の位置情報１８２６とを記憶する。
【０１０１】
（処理手順）
図１９は、本実施形態に係る情報処理装置としてのクラウドサーバ２５０の処理手順を示すフローチャートである。このフローチャートは、クラウドサーバ２５０のＣＰＵがＲＡＭを用いて実行し、図１７の機能構成部を実現する。
【０１０２】
クラウドサーバ２５０は、ステップＳ１９１１において、店マッピング情報の各店舗からの受信であるか否かを判定する。店マッピング情報の受信であれば、クラウドサーバ２５０は、ステップＳ１９１３において、店番とそのマッピング情報を受信して履歴データベース２５１に蓄積する。
【０１０３】
店マッピング情報の受信でなければ、クラウドサーバ２５０は、ステップＳ１９２１において、識別情報によるソーティング指示であるか否かを判定する。ソーティング指示であれば、クラウドサーバ２５０は、ステップＳ１９２３において、履歴データベース２５１の店マッピング情報をユーザ（識別情報）でソーティングする。そして、クラウドサーバ２５０は、ステップＳ１９２５において、ソーティング後のユーザ履歴情報を履歴データベース２５１に格納する。
【０１０４】
店マッピング情報の受信でなく、ソーティング指示でなければ、クラウドサーバ２５０は、ステップＳ１９３１において、履歴データベース２５１のデータ閲覧、データ取得の要求か否かを判定する。データ閲覧、データ取得の要求であれば、クラウドサーバ２５０は、ステップＳ１９３３において、要求するデータがユーザ履歴であるか否かを判定する。ユーザ履歴が要求されれば、クラウドサーバ２５０は、ステップＳ１９３５において、ソーティングしたユーザ履歴のソートデータ１８２０を取得する。ユーザ履歴でなければ、クラウドサーバ２５０は、ステップＳ１９３７において、ソーティングしていない蓄積データ１８１０を取得する。そして、クラウドサーバ２５０は、ステップＳ１９３９において、データ閲覧（取得）要求元へ取得データを送信する。
【０１０５】
本実施形態によれば、ユーザ端末から非接触通信により取得した識別情報を、非接触充電を行った充電装置の位置に紐付けるので、ユーザがユーザ端末を充電場所に置くだけで、そのユーザの動線分析を可能にすることができる。また、本実施形態では、充電装置と終端装置間をポーリング方式としたので、簡単な処理で通信の衝突を防ぐことができる。さらに、収集したデータから遊技場の実客数や各遊技台の実遊戯時間を知ることもできる。
【０１０６】
［第３実施形態］
次に、本発明の第３実施形態に係る情報収集システムについて説明する。本実施形態に係る情報収集システムは、上記第２実施形態と比べると、終端装置が充電装置から識別情報を収集する場合に、充電装置からの割込み方式を使用する点で異なる。本実施形態においては、複数の充電装置からの送信フレームの受信に応じて、識別情報を取得する。その他の構成および動作は、第２実施形態と同様であるため、同じ構成および動作については同じ符号を付してその詳しい説明を省略する。
【０１０７】
《情報収集システムの動作シーケンス》
図２０は、本実施形態に係る情報収集システムの動作手順を示すシーケンス図である。図２０は、終端装置が充電装置から識別情報を収集する場合に、充電装置からの割込み方式を使用する動作シーケンスである。なお、図２０において、図３Ａと同様のステップには同じステップ番号を付して、重複する説明を省略する。また、簡略化のための図３Ａから省かれたステップもあるが、図３Ａを参照されたい。
【０１０８】
図２０では、充電装置２０１０は、ステップＳ２００５において、ユーザ端末２３０から非接触通信により識別情報を取得すると、終端装置２０２０からのポーリングを待つことなく終端装置２０２０に送信する。終端装置２０２０は、充電装置２０１０からの割込みとして識別情報の取得処理を行う。なお、この方式での充電装置２０１０と終端装置２０２０間の通信路における衝突は、充電装置２０１０間の既知の処理で解決される。
【０１０９】
本実施形態によれば、上記実施形態の効果に加えて、充電装置からの識別情報の送信、非接触充電の開始、非接触充電の終了、非接触通信の切断、の各イベント発生を記録できるので、正確な遊技時間や充電時間が取得できる。また、イベント発生時のみの通信なので通信の輻輳を防いで終端装置の負荷を軽減できる。
【０１１０】
［第４実施形態］
次に、本発明の第４実施形態に係る情報収集システムについて説明する。本実施形態に係る情報収集システムは、上記第２実施形態および第３実施形態と比べると、充電装置からユーザ端末に非接触通信によりデータ書き込みが可能である点で異なる。本実施形態においては、非接触通信において、ユーザ端末に情報を書き込むことが可能である。その他の構成および動作は、第２実施形態および第３実施形態と同様であるため、同じ構成および動作については同じ符号を付してその詳しい説明を省略する。
【０１１１】
《情報収集システムの動作シーケンス》
図２１は、本実施形態に係る情報収集システムの動作手順を示すシーケンス図である。図２１において、上段はユーザ端末の充電アプリケーションの起動を充電装置から起動する動作シーケンスである。中段は、ユーザ端末から識別情報と、店番・台番などの位置関連情報を直接、クラウドサーバに送信する動作シーケンスである。下段は、企業などが独自に開発したアプリケーションなどをユーザ端末から閲覧あるいは実行する動作シーケンスである。なお、充電装置からユーザ端末に非接触通信によりデータ書き込みが可能な場合の新たな処理は図２１の例に限定されるものではない。また、図２１において、図３Ａ、図３Ｂと同様のステップあるいは構成要素は同じステップ番号あるいは参照番号を付して、重複する説明は省略する。また、簡略化のための図３Ａ、図３Ｂから省かれたステップもあるが、図３Ａおよび図３Ｂを参照されたい。
【０１１２】
図２１の上段では、まず、ステップＳ２１０１において、ユーザ端末２１３０と充電装置２１１０との非接触通信が確立される。そして、充電装置２１１０は、ステップＳ２１０３において、充電アプリケーションの起動をユーザ端末２１３０に対して指示する。ユーザ端末２１３０は、ステップＳ３０１において、充電アプリケーションを起動し、以降、図３Ａの手順に進む。このようにすることで、ユーザがユーザ端末２１３０を充電装置２１１０により非接触充電する前に充電アプリケーションを起動するという手間を省くことができる。
【０１１３】
図２１の中段では、充電装置２１１０からユーザ端末２１３０に、ステップＳ２１１５において、充電装置２１１０が取り付けられている遊技台の位置情報（店番、島番、台番など）が非接触通信で送信される。ユーザ端末２１３０は、ステップＳ２１１７において、識別情報に対応付けて、受信した遊技台の位置情報（店番、島番、台番など）をクラウドサーバ２５０に直接、送信する。クラウドサーバ２５０は、ステップＳ２１１９において、各ユーザ端末２１３０からの識別情報と紐付いた位置情報を直接、取得して、履歴データベース２５１に蓄積する。このようにすることで、遊技場（店舗）内における通信施設の配備を縮小することができ、コストを削減できる。
【０１１４】
図２１の下段では、充電装置２１１０から独自に開発されたアプリケーションなどを含むデータが、ステップＳ２１２５において、非接触通信でユーザ端末２１３０に送信される。ユーザ端末２１３０は、ステップＳ２１２７において、受信したデータを用いて、例えば、アプリデータベース２１５１から独自アプリケーションの閲覧やダウンロードをして実行し、サービスを受けることができる。
【０１１５】
本実施形態によれば、上記実施形態の効果に加えて、ユーザ端末のアプリケーションを充電前にユーザが機能する手間を無くし、プッシュ通知での起動促進または起動ができる。また、ユーザ端末側からの直接的なクラウドへのデータアップロードを可能にする。また、企業(例えば、パチンコホール・ビジネスホテル等)が独自に開発したシステムへのユーザ端末の連動を可能にできる。
【０１１６】
［他の実施形態］
なお、上記実施形態においては、遊技場の遊技台に非接触充電および非接触通信が可能な充電装置を配置して、遊技場におけるユーザの動線に繋がる識別情報とその関連情報を収集したが、以下、収集した識別情報とその関連情報を用いた分析例を説明する。
【０１１７】
図２２は、他の実施形態に係る情報収集システムにおける分析例を示す図である。図２２において、分析元データ２２０１は、上記実施形態で収集されたデータである。他の分析元データ２２０２は、上記実施形態ではない方法で収集されたデータである。分析結果２２０３は、分析元データ２２０１や他の分析元データ２２０２を用いて分析可能な結果を示している。
【０１１８】
例えば、分析元データ２２０１を各店舗のマッピングデータである場合に、各店舗へのユーザの入退場履歴、島番・台番に関する履歴、店舗内顧客回遊などが分析可能である。また、他の分析元データ２２０２として消費額や還元額データを組み合わせると、利益・売上履歴が分析可能である。また、分析元データ２２０１を複数の店舗のマッピングデータであるとすると、店舗間顧客回遊が分析可能である。また、他の分析元データ２２０２として他のユーザ行動履歴データを組み合わせると、さらに広範で正確なユーザ行動履歴（動静）が分析可能である。
【０１１９】
他のユーザ行動履歴データとしては、本実施形態を適用した他のマッピングデータが利用できる。本実施形態を適用した他のマッピングデータとしては、以下のデータなどが想定できるが、これらに限定されることはない。例えば、他の店舗等に本実施形態の充電装置を配置して取得したマッピングデータ、交通機関／関連施設に本実施形態の充電装置を配置して取得したマッピングデータ、クリニック等に本実施形態の充電装置を配置して取得したマッピングデータ、フィットネスジム等に本実施形態の充電装置を配置して取得したマッピングデータ、ビジネスホテル等に本実施形態の充電装置を配置して取得したマッピングデータなどである。すなわち、ユーザが一定時間同じ場所に滞在する全てのビジネスにおいて適用可能であり、ユーザの動線把握において同様の効果を奏する。
【０１２０】
また、実施形態を参照して本願発明を説明したが、本願発明は上記実施形態に限定されるものではない。本願発明の構成や詳細には、本願発明の技術的範囲で当業者が理解し得る様々な変更をすることができる。また、それぞれの実施形態に含まれる別々の特徴を如何様に組み合わせたシステムまたは装置も、本発明の技術的範囲に含まれる。
【０１２１】
また、本発明は、複数の機器から構成されるシステムに適用されてもよいし、単体の装置に適用されてもよい。さらに、本発明は、実施形態の機能を実現する情報処理プログラムが、システムあるいは装置に供給され、内蔵されたプロセッサによって実行される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、プログラムを実行するプロセッサも本発明の技術的範囲に含まれる。特に、少なくとも、上述した実施形態に含まれる処理ステップをコンピュータに実行させるプログラムを格納した非一時的コンピュータ可読媒体（non-transitory computer readable medium）は本発明の技術的範囲に含まれる。
【要約】
【課題】ユーザがユーザ端末を充電場所に置くだけで、そのユーザの動線分析を可能にすること。
【解決手段】複数の遊技台に取り付けられた複数の充電装置と情報収集装置とを含む情報収集システムであって、複数の充電装置のそれぞれは、ユーザ端末から識別情報を非接触通信により取得する非接触通信部と、識別情報を取得したユーザ端末に対して、非接触での充電を行う非接触充電部と、識別情報を保存する保存部と、を備え、情報収集装置は、複数の充電装置から識別情報を取得する情報取得部と、取得した識別情報と、識別情報の取得時刻と、識別情報の取得元としての充電装置の位置と、を紐付ける情報処理部と、を備える。
【選択図】  図１【図１】
0006614627.tif 000002
【図２Ａ】
0006614627.tif 000003
【図２Ｂ】
0006614627.tif 000004
【図２Ｃ】
0006614627.tif 000005
【図２Ｄ】
0006614627.tif 000006
【図３Ａ】
0006614627.tif 000007
【図３Ｂ】
0006614627.tif 000008
【図４】
0006614627.tif 000009
【図５】
0006614627.tif 000010
【図６】
0006614627.tif 000011
【図７】
0006614627.tif 000012
【図８】
0006614627.tif 000013
【図９】
0006614627.tif 000014
【図１０】
0006614627.tif 000015
【図１１】
0006614627.tif 000016
【図１２】
0006614627.tif 000017
【図１３】
0006614627.tif 000018
【図１４】
0006614627.tif 000019
【図１５】
0006614627.tif 000020
【図１６】
0006614627.tif 000021
【図１７】
0006614627.tif 000022
【図１８】
0006614627.tif 000023
【図１９】
0006614627.tif 000024
【図２０】
0006614627.tif 000025
【図２１】
0006614627.tif 000026
【図２２】
0006614627.tif 000027